(57)【要約】      （修正有）【課題】唾液腺のマッサージにおいて３箇所の唾液腺を効率よくマッサージすること。【解決手段】唾液腺マッサージ具として、手に装着する手袋１０と、前記手袋を装着した使用者が自身の耳の付け根近傍から顎の先端を覆うように前記手袋を顔の表面に当てた際に、前記手袋の表面の、舌下腺、顎下腺、耳下腺が存する場所に対応するに位置に設けられる突起２１，２２，２３とより構成する。このような構成により、使用者が手袋を装着して自身の耳の付け根近傍から顎の先端を覆うように前記手袋を顔の表面に当てると、突起が舌下腺、顎下腺、耳下腺に当たるので、この突起を用いて自身のそれぞれの唾液腺を同時にマッサージすることができ、マッサージの効率を上げることが可能となる。【選択図】図１
0003113072.tif 000002
【実用新案登録請求の範囲】
【請求項１】
手に装着する手袋と、
前記手袋を装着した使用者が自身の耳の付け根近傍から顎の先端を覆うように前記手袋を顔の表面に当てた際に、前記手袋の表面の、舌下腺、顎下腺、耳下腺が存する場所に対応する位置に設けられる突起と
を有する唾液腺マッサージ具。
【請求項２】
前記突起は、前記手袋の親指部分と、人差し指若しくは中指のいずれかの部分と、手のひらの小指側の下方部分とに設けられる請求項１に記載の唾液腺マッサージ具。
【請求項３】
手に装着する手袋と、
前記手袋を装着した使用者がマッサージする相手の耳の付け根近傍から顎の先端を覆うように前記手袋を顔の表面に当てた際に、前記手袋の表面の、舌下腺、顎下腺、耳下腺が存する場所に対応する位置に設けられる突起と、
を有する唾液腺マッサージ具。
【請求項４】
前記突起は、前記手袋の手のひらの親指の付け根部分と、人差し指若しくは中指のいずれかの部分と、薬指若しくは小指のいずれかの部分とに設けられる請求項３に記載の唾液腺マッサージ具。
【請求項５】
前記突起の少なくとも一つは、回動するローラーもしくはボールにより形成される請求項１から４のいずれか１項に記載の唾液腺マッサージ具。
【考案の詳細な説明】
【技術分野】
【０００１】
本考案は唾液腺をマッサージする器具に関する。
【背景技術】
【０００２】
従来、口腔乾燥症の患者に対して唾液腺をマッサージして、これを刺激し、唾液の排出を促すことがおこなわれてきた。唾液腺は、耳下腺、顎下腺、舌下腺が三大唾液腺として知られている。図７にこれらの唾液腺の位置を示す。耳下腺Ａは耳の前から下およびやや後に至って存在し、顎下腺Ｂは顎のいわゆるえらの部分の下方に存在し、舌下腺Ｃは顎の中央の裏側に存在する。
唾液腺マッサージは、これらの部位を患者自らもしくは介助者が一箇所ずつ指を使ってマッサージを行うことが一般的である。具体的には、患者が自ら唾液腺をマッサージする場合には、耳下腺を人差し指から薬指のいずれかの先端部分によりマッサージし、顎下腺及び舌下腺は親指の先端近傍によりマッサージを行う。また、介助者がマッサージを行う場合には、後方から舌下腺及び顎下腺を人差し指から薬指のいずれかの先端部分によりマッサージし、耳下腺を親指の先端の腹部分によりマッサージをしていた。
このようなマッサージは、下記特許文献１に示すような手袋に突起を設けた器具を用いるとより効率的にできると考えられる。
【特許文献１】実開昭６０−１８７７４０号公報
【考案の開示】
【考案が解決しようとする課題】
【０００３】
上記のように人が指で刺激する場合、唾液腺を一箇所ずつ刺激していくためにマッサージに時間がかかってしまい効率が悪いという問題がある。これは、上記特許文献１に記載の考案を用いてマッサージを行っても突起は従来マッサージに使用していた指の部位に設けることになるだけであるので、マッサージの効果を高めることはできても時間の短縮には大きく貢献することはない。
そこで、このような問題に鑑みて、本考案は唾液腺のマッサージにおいて３箇所の唾液腺を効率よくマッサージすることを課題とする。
【課題を解決するための手段】
【０００４】
上記課題を解決するために、本考案は次のような構成を有する。
請求項１に記載の考案は、手に装着する手袋と、前記手袋を装着した使用者が自身の耳の付け根近傍から顎の先端を覆うように前記手袋を顔の表面に当てた際に、前記手袋の表面の、舌下腺、顎下腺、耳下腺が存する場所に対応するに位置に設けられる突起とを有する唾液腺マッサージ具である。なお、手袋は、手に装着する形状であればすべての指を覆う必要はなく、また、必要ない部分は穴などになっていてもよい。さらに、手袋は装着状態で手袋の形状になっていれば足りる。
請求項２に記載の考案は、前記唾液腺マッサージ具において、前記突起は、前記手袋の親指部分と、人差し指若しくは中指のいずれかの部分と、手のひらの小指側の下方部分とのうちの少なくとも２箇所に設けられるものである。
請求項３に記載の考案は、手に装着する手袋と、前記手袋を装着した使用者がマッサージする相手の耳の付け根近傍から顎の先端を覆うように前記手袋を顔の表面に当てた際に、前記手袋の表面の、舌下腺、顎下腺、耳下腺が存する場所に対応する位置に設けられる突起とを有する唾液腺マッサージ具である。
請求項４に記載の考案は、請求項３に記載の唾液腺マッサージ具において、前記突起は、前記手袋の手のひらの親指の付け根部分と、人差し指若しくは中指のいずれかの部分と、薬指若しくは小指のいずれかの部分とのうちの少なくとも２箇所に設けられるものである。
請求項５に記載の考案は、前記唾液腺マッサージ具において、前記突起の少なくとも一つは、回動するローラーもしくはボールにより形成されるものである。
【考案の効果】
【０００５】
請求項１に記載の考案は、従来はマッサージに使用しなかった手の部位に突起を設けることにより、使用者が手袋を装着して自身の耳の付け根近傍から顎の先端を覆うように前記手袋を顔の表面に当てると、突起が舌下腺、顎下腺、耳下腺に当たるので、この突起を用いて自身のそれぞれの唾液腺を同時にマッサージすることができ、マッサージの効率を上げることが可能となる。
請求項２に記載の考案は、前記突起を、親指と、人差し指若しくは中指のいずれかと、手のひらの小指側の下方部分に設けることで、手を無理な姿勢にすることなく楽に自身の唾液腺のマッサージを行うことができる。
請求項３に記載の考案は、従来はマッサージに使用しなかった手の部位に突起を設けることにより、使用者が手袋を装着してマッサージをする相手の耳の付け根近傍から顎の先端を覆うように前記手袋を顔の表面に当てると、突起が舌下腺、顎下腺、耳下腺に当たるので、この突起を用いてマッサージをする相手のそれぞれの唾液腺を同時にマッサージすることができ、マッサージの効率を上げることができる。
請求項４に記載の考案は、前記突起を、手のひらの親指の付け根部分と、人差し指若しくは中指のいずれかと、薬指若しくは小指のいずれかとに設けることで、手を無理な姿勢にすることなく楽にマッサージをする相手の唾液腺のマッサージを行うことができる。
請求項５に記載の考案は、突起を回動するローラーもしくはボールとすることで、摩擦を加えることなく押圧位置を移動させることができるので、マッサージのバリエーションを増やすことができる。
【考案を実施するための最良の形態】
【０００６】
以下、本考案の実施形態について、図面を参照しながら説明する。
（実施形態１）
本考案の第１の実施形態について以下に説明する。図１に本実施形態に係る唾液腺マッサージ具Ｘの正面図を示し、図２に唾液腺マッサージ具Ｘの側面図を示す。この唾液腺マッサージ具Ｘは右手用のものであり、対称の形状を持つ左手用の唾液腺マッサージ具Ｘと対で使用する。唾液腺マッサージ具Ｘは合成皮革性の手袋１０の表面側に合成ゴムで形成された突起２１、２２、２３を接着剤により貼り付けたものである。なお、唾液腺マッサージ具Ｘの材質は洗浄性を考慮して突起と手袋をゴムにより一体成型する等、種々のものを採用することができる。各突起は、後述する図３に示すように、手袋１０を使用者が装着して、人差し指を耳の付け根近傍に当てるとともに、手のひらの下方小指寄りの部分を顎の先端近傍の裏側に当てて親指を顎の輪郭線に沿うように当てた際に、舌下腺、顎下腺、耳下腺、のそれぞれが存在する場所に位置するように設けられている。具体的には、突起２１は耳下腺を刺激するために、人差し指と中指の第２関節から先端側の位置に設けられ、突起２２は、顎下腺を刺激するために親指の第１関節から第２関節の位置に設けられ、突起２３は舌下腺を刺激するために、手のひらの下方小指寄りの位置から親指の付け根近傍にわたって設けられている。
次に、以上のような構成を有する唾液腺マッサージ具Ｘの使用方法について説明する。使用者は左右の手に唾液腺マッサージ具Ｘの手袋１０を装着し、図３に示すように、突起２３を舌下腺の位置に、突起２２を顎下腺の位置に、突起２１を耳下腺の位置に当てる。なお、いずれかの突起を対応する唾液腺に当てると、他の突起もほぼ自然に対応する唾液線に当たるようになっている。この状態で、使用者は手を動かして唾液腺に刺激を与える。これにより、３つの唾液腺を同時にマッサージすることで効率のよいマッサージを実現することができる。
【０００７】
（実施形態２）
本考案の第２の実施形態について以下に説明する。本実施形態は、使用者がマッサージをする対象者に対して唾液腺マッサージを行う際に使用するものである。図４に本実施形態に係る唾液腺マッサージ具Ｙの正面図を示し、図５に唾液腺マッサージ具Ｙの側面図を示す。この唾液腺マッサージ具Ｙは右手用のものであり、対称の形状を持つ左手用の唾液腺マッサージ具Ｙと対で使用する。唾液腺マッサージ具Ｙは合成皮革性の手袋５０の表面側に合成ゴムで形成された突起６１、６２、６３を接着剤により貼り付けたものである。なお、実施の形態１と同様に唾液腺マッサージ具Ｙの材質はこれに限らず種々のものを採用することができる。各突起は、後述する図６に示すように、手袋１０を使用者が装着して、マッサージをする対象者に対して、人差し指の先端を顎の先端近傍の裏側に当てて中指から小指までの先端を顎の輪郭線に沿うように当てるとともに、手のひらの親指の付け根部分を耳の付け根近傍に当てると、舌下腺、顎下腺、耳下腺、のそれぞれが存在する場所に位置するように設けられている。具体的には、突起６１は耳下腺を刺激するために、手のひらの親指の付け根の位置に設けられ、突起６２は、顎下腺を刺激するために小指と薬指の第１関節から先端までの位置に設けられ、突起６３は舌下腺を刺激するために、人差し指と中指の第１関節から先端までの位置に設けられている。
次に、以上のような構成を有する唾液腺マッサージ具Ｙの使用方法について説明する。使用者は左右の手に唾液腺マッサージ具Ｙの手袋５０を装着し、図６に示すように、マッサージをする対象者に対して、突起６３を舌下腺の位置に、突起６２を顎下腺の位置に、突起６１を耳下腺の位置に当てる。なお、いずれかの突起を対応する唾液腺に当てると、他の突起もほぼ自然に対応する唾液線に当たるようになっている。この状態で、使用者は手を動かして唾液腺に刺激を与える。これにより、３つの唾液腺を同時にマッサージすることで効率のよいマッサージを実現することができる。
なお、上記実施の形態では、各突起は、合成ゴムにより形成したが、回動するローラーにより形成することもできる。図７に実施形態１に係る唾液腺マッサージ具の突起２１、２２を複数のローラーにより形成される突起３１、３２に置き換えた図を示し、図８に図７の矢視Ａの拡大図を示す。突起３１は、各ローラーを挟持し回動自在に保持する並列に配列された細長い板材３１ｃと、板材３１ｃの間に挟持固定される複数の大ローラー３１ａと証ローラー３１ｂにより構成される。突起３２も同じ構成であり、各ローラーを挟持し回動自在に保持する並列に配列された細長い板材３２ｃと、板材３２ｃの間に挟持固定される複数の大ローラー３２ａと証ローラー３２ｂにより構成される。このように突起を回動するローラーとすることで、ローラーを押し付けてローラーの進行方向に沿って動かすことで摩擦を加えることなく刺激位置を変えながら唾液腺をマッサージすることができる。また、突起を回動するボールにより形成してもよい。図９に実施形態２に係る唾液腺マッサージ具の突起６２を回動するボールにより形成される突起７２に置き換えた図を示し、図１０に図９の矢視Ｂの拡大図を示す。なお、図９に示す唾液腺マッサージ具Ｙは、突起６１も複数のローラーにより形成される突起７１に置き換えている。突起７２は、回動するボール７２ａと、これを抜けないように回動可能に保持する円筒状のボール保持体７２ｂとから構成される。このように突起を回動するボールとすることで、ボールを押し付けて任意の方向へ動かすことで、やはり、摩擦を加えることなく刺激位置を変えながら唾液腺をマッサージすることができる。
【図面の簡単な説明】
【０００８】
【図１】第１の実施形態に係る唾液腺マッサージ具の正面図である。
【図２】第１の実施形態に係る唾液腺マッサージ具の側面図である。
【図３】第１の実施形態に係る唾液腺マッサージ具の使用状態を示す図である。
【図４】第２の実施形態に係る唾液腺マッサージ具の正面図である。
【図５】第２の実施形態に係る唾液腺マッサージ具の側面図である。
【図６】第２の実施形態に係る唾液腺マッサージ具の使用状態を示す図である。
【図７】第１の実施形態に係る唾液腺マッサージ具の突起の変形例を示す正面図である。
【図８】図７における矢視Ａの拡大図である。
【図９】第２の実施形態に係る唾液腺マッサージ具の突起の変形例を示す正面図である。
【図１０】図９における矢視Ｂの拡大図である。
【図１１】唾液腺の位置を示す概念図である。
【符号の説明】
【０００９】
X、Ｙ    唾液腺マッサージ具
１０、５０    手袋
２１、２２、２３、６１、６２、６３、３１、３２、７１、７２    突起
【図１】
0003113072.tif 000003
【図２】
0003113072.tif 000004
【図３】
0003113072.tif 000005
【図４】
0003113072.tif 000006
【図５】
0003113072.tif 000007
【図６】
0003113072.tif 000008
【図７】
0003113072.tif 000009
【図８】
0003113072.tif 000010
【図９】
0003113072.tif 000011
【図１０】
0003113072.tif 000012
【図１１】
0003113072.tif 000013